(57)【要約】  本発明は、複数のライブコンテンツのうちの第１のライブコンテンツの供給を、ライブコンテンツを受信するように適合されたモバイル装置から、ライブコンテンツを受信するように適合された固定装置へ、転送するための方法に関する。モバイル装置は、第１の通信ネットワークを介してコンテンツプロバイダと接続され、固定装置は、第２の通信ネットワークを介してコンテンツプロバイダと接続される。本方法は、まず、モバイル装置を固定装置に関連付け、次に、モバイル装置にて受信された第１のライブコンテンツに関連付けられたライブコンテンツ情報を、確立された関連付けを介してモバイル装置と固定装置との間で交換するステップと、続いて、コンテンツプロバイダが第２の通信ネットワークを介して固定装置へ第１のライブコンテンツを供給するステップとを備え、第１のライブコンテンツは前記第１のライブコンテンツに関連付けられたライブコンテンツ情報に基づいて固定装置により選択される。
2016503534.tif 000002
【特許請求の範囲】
【請求項１】
複数のライブコンテンツのうちの第１のライブコンテンツの供給を、ライブコンテンツを受信するように適合されたモバイル装置（ＭＤ、ＭＤ’）から、ライブコンテンツを受信するように適合された固定装置（ＦＤ）へ、転送するための方法であって、前記複数のライブコンテンツのうちの前記第１のライブコンテンツはコンテンツプロバイダ（ＣＰ）により供給され、前記モバイル装置（ＭＤ、ＭＤ’）は第１の通信ネットワーク（ＣＮ１）を介して前記コンテンツプロバイダ（ＣＰ）に接続され、前記固定装置（ＦＤ）は第２の通信ネットワーク（ＣＮ２）を介して前記コンテンツプロバイダ（ＣＰ）に接続され、前記方法は、
ａ．  前記モバイル装置（ＭＤ）を前記固定装置（ＦＤ）に関連付けるステップと、
ｂ．  前記モバイル装置（ＭＤ）にて受信された前記第１のライブコンテンツに関連付けられたライブコンテンツ情報を、前記モバイル装置（ＭＤ）と前記固定装置（ＦＤ）との間で前記関連付けを介して交換するステップと、
ｃ．  前記コンテンツプロバイダ（ＣＰ）が、前記第２の通信ネットワーク（ＣＮ２）を介して前記固定装置（ＦＤ）へ前記第１のライブコンテンツを供給するステップと
を備え、前記第１のライブコンテンツは前記第１のライブコンテンツに関連付けられた前記ライブコンテンツ情報に基づいて前記固定装置（ＦＤ）により選択される、方法。
【請求項２】
前記固定装置（ＦＤ）が、前記第１のライブコンテンツを前記モバイル装置（ＭＤ、ＭＤ’）に中継するステップをさらに備えることを特徴とする、請求項１に記載のライブコンテンツの供給を転送するための方法。
【請求項３】
前記モバイル装置（ＭＤ）が、前記確立された関連付けを介して、前記関連付けられた固定装置（ＦＤ）を制御するステップをさらに備えることを特徴とする、請求項１または２に記載のライブコンテンツの供給を転送するための方法。
【請求項４】
前記モバイル装置（ＭＤ、ＭＤ’）が前記関連付けられた固定装置（ＦＤ）を制御する前記ステップが、前記コンテンツプロバイダ（ＣＰ）により前記固定装置（ＦＤ）へ供給される複数のライブコンテンツからのライブコンテンツの選択を制御することを含むことを特徴とする、請求項３に記載のライブコンテンツの供給を転送するための方法。
【請求項５】
前記ライブコンテンツを中継する前記ステップが、前記ライブコンテンツを前記モバイル装置（ＭＤ）の能力に適合させるステップをさらに含むことを特徴とする、請求項２に記載の方法。
【請求項６】
前記モバイル装置（ＭＤ）の前記存在を検出したときに、前記モバイル装置（ＭＤ）を前記固定装置（ＦＤ）に関連付ける前記ステップを特徴とする、請求項１に記載の方法。
【請求項７】
前記モバイル装置（ＭＤ）により送信されたコマンドを受信したときに、または前記固定装置（ＦＤ）により送信されたコマンドを受信することにより、前記モバイル装置（ＭＤ）を前記固定装置（ＦＤ）に関連付ける前記ステップを特徴とする、請求項１に記載の方法。
【請求項８】
複数のライブコンテンツのうちの第１のライブコンテンツの供給を、ライブコンテンツを受信するように適合されたモバイル装置（ＭＤ、ＭＤ’）から、ライブコンテンツを受信するように適合された固定装置（ＦＤ）へ、転送するためのシステムであって、前記システムは、前記複数のライブコンテンツからの前記第１のライブコンテンツを前記システムに含まれるモバイル装置（ＭＤ、ＭＤ’）および固定装置（ＦＤ）に提供するように適合されたコンテンツプロバイダ（ＣＰ）を備え、前記モバイル装置（ＭＤ、ＭＤ’）は第１の通信ネットワーク（ＣＮ１）を介して前記コンテンツプロバイダ（ＣＰ）に接続され、前記固定装置（ＦＤ）は第２の通信ネットワーク（ＣＮ２）を介して前記コンテンツプロバイダ（ＣＰ）に接続され、前記システムは、
ａ．  前記モバイル装置（ＭＤ、ＭＤ’）を前記固定装置（ＦＤ）に関連付けるための関連付け手段（ＡＭ）と、
ｂ．  前記モバイル装置（ＭＤ、ＭＤ’）にて受信された前記第１のライブコンテンツに関連付けられたライブコンテンツ情報を、前記モバイル装置（ＭＤ、ＭＤ’）と前記固定装置（ＦＤ）との間で前記関連付けを介して交換するための交換手段（ＥＭ）と、
ｃ．  前記コンテンツプロバイダ（ＣＰ）により、前記第２の通信ネットワーク（ＣＮ２）を介して前記固定装置（ＦＤ）へ前記第１のライブコンテンツを供給するための供給手段（ＰＭ）と、
ｄ．  前記第１のライブコンテンツを前記第１のライブコンテンツに関連付けられた前記ライブコンテンツ情報に基づいて選択するための選択手段（ＳＭ）と
を備える、システム。
【請求項９】
第２の通信ネットワーク（ＣＮ２）を介してコンテンツプロバイダ（ＣＰ）と接続される前記固定装置（ＦＤ）であって、
ａ．  前記コンテンツプロバイダ（ＣＰ）からコンテンツを受信するためのコンテンツ受信手段（ＣＲＭ）と、
ｂ．  モバイル装置（ＭＤ、ＭＤ’）を前記固定装置（ＦＤ）に関連付けるための関連付け手段（ＡＭ）と、
ｂ．  前記モバイル装置（ＭＤ、ＭＤ’）にて受信された第１のコンテンツに関連付けられたライブコンテンツ情報を、前記関連付けを介して前記モバイル装置（ＭＤ、ＭＤ’）と前記固定装置（ＦＤ）との間で交換するための交換手段（ＥＭ）と、
ｃ．  前記固定装置（ＦＤ）にて受信すべき前記第１のライブコンテンツを選択するための選択手段（ＳＭ）であって、前記選択は前記第１のライブコンテンツに関連付けられた前記ライブコンテンツ情報に基づく、選択手段（ＳＭ）と
を備える、請求項８に記載のシステムで用いるための固定装置（ＦＤ）。
【請求項１０】
前記固定装置（ＦＤ）にて受信された前記第１のライブコンテンツを前記モバイル装置（ＭＤ、ＭＤ’）に中継するための手段をさらに備える、請求項９に記載の固定装置（ＦＤ）。
【請求項１１】
前記モバイル装置（ＭＤ、ＭＤ’）の制御コマンドに応答して、前記確立された関連付けを介して前記固定装置（ＦＤ）の制御を実行するための手段をさらに備える、請求項９または１０に記載の固定装置（ＦＤ）。
【請求項１２】
前記中継するための手段が、前記ライブコンテンツを前記モバイル装置（ＭＤ、ＭＤ’）の能力に適合させるようにさらに適合される、請求項１０に記載の固定装置（ＦＤ）。
【請求項１３】
第１の通信ネットワーク（ＣＮ１）を介してコンテンツプロバイダ（ＣＰ）と接続される前記モバイル装置（ＭＤ、ＭＤ’）であって、
ａ．  前記コンテンツプロバイダ（ＣＰ）からライブコンテンツを受信するためのコンテンツ受信手段（ＣＲＭ２）と、
ｂ．  前記モバイル装置（ＭＤ、ＭＤ’）を前記固定装置（ＦＤ）に関連付けるための関連付け手段（ＡＭ’）と、
ｃ．  前記モバイル装置（ＭＤ、ＭＤ’）にて受信された第１のコンテンツに関連付けられたライブコンテンツ情報を、前記関連付けを介して前記モバイル装置（ＭＤ、ＭＤ’）と前記固定装置（ＦＤ）との間で交換するための交換手段（ＥＭ’）と
を備え、前記コンテンツ受信手段（ＣＲＭ２）はさらに、前記第１のライブコンテンツを前記コンテンツプロバイダ（ＣＰ）から受信する代わりに、前記第１のライブコンテンツを前記固定装置（ＦＤ）から前記関連付けを介して受信するのに適している、請求項８に記載のシステムで用いるためのモバイル装置（ＭＤ、ＭＤ’）。
【発明の詳細な説明】
【技術分野】
【０００１】
本発明は、第１のライブコンテンツの供給を、ライブコンテンツを受信するためのモバイル装置から、ライブコンテンツを受信するための固定装置へ転送するための方法と、関連するシステムと、関連するモバイル装置と、関連する固定装置とに関する。
【背景技術】
【０００２】
現在、そのようなシステムは、コンテンツプロバイダから提供されるマルチメディアストリームであるライブコンテンツを受信し、続いて描画する固定装置を含む。固定装置は、ケーブルネットワーク、デジタル加入者線ネットワーク、衛星通信ネットワーク、移動通信ネットワーク、または任意の他の適切な通信ネットワークのような通信ネットワークを介してコンテンツプロバイダと接続された、インターネット接続されたテレビまたはセットトップボックスなどである。
【０００３】
受信されるマルチメディア信号は、ＤＶＢ−Ｔ信号、ＤＶＢ−Ｃ信号、ＤＶＢ−Ｓ信号、ＤＶＢ−ＩＰＴＶ信号、または、ＹｏｕＴｕｂｅ（登録商標）のようなインターネット信号でもよい。
【０００４】
ライブコンテンツ、すなわちマルチメディアストリームを受信するための固定装置に加えて、システムは、コンテンツプロバイダにより提供されるそのようなマルチメディアストリームを受信し描画するモバイル装置を含んでもよい。モバイル装置はさらに、ＵＭＴＳのような移動データネットワーク、またはＷｉ−Ｆｉのような短距離無線ネットワーク、または任意の他の適切な通信ネットワークなどを含む第１の通信ネットワークを介して、コンテンツプロバイダに接続される。
【発明の概要】
【発明が解決しようとする課題】
【０００５】
現在、第１のライブコンテンツの供給の、そのようなマルチメディアコンテンツを受信するためのモバイル装置から、ライブコンテンツを受信するための固定装置への転送は、現在受信中の第１のライブコンテンツ、すなわちモバイル装置にて受信されるマルチメディアライブストリームが固定装置へ転送されることを示すネットワークシグナリングにより、行われる。
【０００６】
すなわち、ネットワークにおいて、固定装置が受信するのに適したストリームが提供される必要がある。このためには、このストリームが固定装置により受信可能となるようにビデオストリームを符号化可能な専用のエンコーダからの接続を設定する必要がある。設定段階では、モバイル装置は、２次元バーコードなどの表示などにより、固定装置を割り当て得る。識別されたとき、モバイル装置は、受信した情報を用いて、専用のエンコーダからネットワークを介して専用の固定装置へ設定を開始することができる。
【０００７】
したがって、現在の方法およびシステムには、映像信号におけるかなりの遅延を生じ、その遅延がユーザー体験の劣化をもたらすような方法で、第１のモバイル装置から固定装置へのライブコンテンツの転送が行われるという欠点がある。
【０００８】
本発明の目的は、上記の知られている種類であるが、第１のライブコンテンツの供給を、ライブコンテンツを受信するためのモバイル装置からライブコンテンツを受信するための固定装置へ転送することがより効率的に行われてユーザー体験の改善をもたらす、第１のライブコンテンツストリームの供給をライブコンテンツを受信するためのモバイル装置からライブコンテンツを受信するための固定装置へ転送するための方法と、関連するシステムと、関連するモバイル装置と、関連する固定装置とを提供することである。
【課題を解決するための手段】
【０００９】
本発明によれば、本目的は、請求項１に記載の第１のライブコンテンツの供給をライブコンテンツを受信するためのモバイル装置からライブコンテンツを受信するための固定装置へ転送するための方法と、請求項８に記載の関連するシステムと、請求項９に記載の関連する固定装置と、請求項１３に記載の関連するモバイル装置とにより達成される。
【００１０】
実際に、まずモバイル装置と固定装置との間の関連付けを確立することにより、その後ライブコンテンツ情報が、先の確立された関連付けを介してモバイル装置と固定装置との間で交換され得、第１のライブコンテンツが、モバイル装置から得られた交換されたライブコンテンツ情報に基づいて固定装置により選択され得、その選択に続いてコンテンツプロバイダが、第１のライブコンテンツを固定装置へ第２の通信ネットワークを介して供給して、第１のライブコンテンツのモバイル装置から固定装置への転送が高速かつ効率的に実行され、ライブコンテンツを転送する処理に遅延を生じない。
【００１１】
関連付けるステップは、モバイル装置を固定装置にリンクし、続いて、ＷＬＡＮ上のＳＳＩＤおよびＤＬＮＡ、Ｂｌｕｅｔｏｏｔｈ（登録商標）、無線ＬＡＮ、または他の適切な種類の接続のような無線短距離接続を確立することを含む。
【００１２】
モバイル装置は固定装置へチャレンジし、逆もまた同様である。正しい応答を受信すると、両装置はそれらの関連付けを確立し維持することになる。
【００１３】
固定のテレビに関連付けられたモバイル装置は、チャンネルのメディアストリームの受信に関連する全ての情報、すなわちチャンネル変更またはチャンネル選択についての情報をテレビに渡し、テレビは装置にとって中継局となる。これには、任意のライブマルチメディアストリームも含まれる。
【００１４】
本発明のさらなる特徴は、請求項２および請求項１０に記載される。
【００１５】
ライブコンテンツの供給をモバイル装置から固定装置へ転送するための方法は、モバイル装置を固定装置ＦＤに関連付ける際に、場合により、固定装置が前記固定装置にて受信された第１のライブコンテンツをモバイル装置へ中継するステップをさらに備える。
【００１６】
このようにしてライブコンテンツはモバイル装置にて、固定装置に関連付けられたときに受信および描画され得、その結果ライブコンテンツは固定装置の代わりにモバイル装置にて消費され得、ここで固定装置は、固定装置に接続された、もしくは固定装置に並列接続の、テレビである。
【００１７】
また、複数のモバイル装置のうちの１つより多いモバイル装置が固定装置に関連付けられ得、前記複数のうちの各追加のモバイル装置がさらに、固定装置により複数のモバイル装置のうちの各モバイル装置へ中継されるライブコンテンツを受信することもできるようにする。
【００１８】
本発明の他のさらなる特徴は、請求項３および請求項１１に記載される。
【００１９】
本発明は、モバイル装置が、確立された関連付けを介して関連付けられた固定装置を制御するという特徴をさらに備える。モバイル装置にて実行される制御アプリケーションにより起動される制御コマンドは、関連付けを介して固定装置へ送信され、続いて固定装置にて解釈され実行され得る。
【００２０】
そのような制御コマンドの例には、リモートコントロールのよく知られた制御コマンド（チャンネル変更、音量上下．．．）があるが、加えて、現在受信中のマルチメディアライブストリームをモバイル装置へ、あるいは１つまたは複数のさらなる関連付けられたモバイル装置にさえ中継するように固定装置に命令するコマンドもある。
【００２１】
本発明の他のさらなる特徴は、請求項４に記載される。
【００２２】
本発明は、モバイル装置が、関連付けられた固定装置を制御するように適合され、制御には、コンテンツプロバイダにより固定装置へ供給される（ことになる）複数のライブコンテンツからのライブコンテンツの選択が含まれるという特徴をさらに備える。
【００２３】
本発明の他のさらなる特徴は、請求項５および請求項１２に記載される。
【００２４】
本発明は、マルチメディアライブストリームを中継することが、中継されるライブコンテンツをモバイル装置の能力に適合させることをさらに含むという特徴を、さらに付加的に含んでもよい。
【００２５】
ライブコンテンツの適合は、受信されたストリームなどの元々のライブのコンテンツのフォーマットおよび／または解像度を、モバイル装置のより小さな画面に適合されるより低い解像度のフォーマットに変換することを含んでもよく、および／または適合は、受信するためのモバイル装置により処理可能なプロトコルを適合させるために、固定装置により受信されたマルチメディアライブストリームなどのライブコンテンツについてのプロトコル変換を含んでもよい。
【００２６】
本発明の他のさらなる特徴は、請求項６に記載される。
【００２７】
モバイル装置の固定装置への関連付けは、固定装置によりモバイル装置の存在を検出したときに、または代わりにモバイル装置の近傍の周辺に固定装置の存在を検出することで、開始され得る。
【００２８】
モバイル装置と固定装置の一方は、まず短距離無線ネットワーク（たとえば、ＷＬＡＮ、Ｂｌｕｅｔｏｏｔｈ、または他の適切な接続）の存在を検出し、続いて接続された装置を検出することで、固定装置またはモバイル装置それぞれの存在を検出してもよい。
【００２９】
本発明の他のさらなる特徴は、請求項７に記載される。
【００３０】
あるいは、モバイル装置の固定装置への関連付けまたはその逆は、モバイル装置により送信され、したがってモバイル装置によりトリガされた明示的なコマンドを受信したときに、または、前記固定装置により送信され、したがって固定装置によりトリガされたコマンドを受信することで行われ、ここで、モバイル装置と固定装置との間の接続を確立するための接続パラメータを含むコマンドは、接続を確立するためのトリガを形成する。
【００３１】
特許請求の範囲で用いられる「備える（ｃｏｍｐｒｉｓｉｎｇ）」という用語は、そこで列挙される手段に限定されるように解釈されるべきでないことに注意されたい。したがって、「手段ＡおよびＢを備える装置」という表現の範囲は、構成要素ＡおよびＢのみからなる装置に限定されるべきではない。それは、本発明に関して、装置の単に関連する構成要素がＡおよびＢであることを意味する。
【００３２】
同様に、特許請求の範囲でも用いられる「接続される（ｃｏｕｐｌｅｄ）」という用語は、直接接続のみに限定されるように解釈されるべきでないことに注意されたい。したがって、「装置Ｂに接続された装置Ａ」という表現の範囲は、装置Ａの出力が装置Ｂの入力に直接接続される装置またはシステムに限定されるべきではない。それは、他の装置または手段を含む経路でもよい、Ａの出力とＢの入力との間の経路が存在することを意味する。
【００３３】
添付の図面と併せて実施形態の以下の説明を参照することで、本発明の上記および他の目的ならびに特徴がより明らかになり、本発明自体が最も良く理解されよう。
【図面の簡単な説明】
【００３４】
【図１】本発明による、第１のライブコンテンツの供給をライブコンテンツを受信するためのモバイル装置から固定装置へ転送するためのシステムが、実行されることを表す図である。
【図２】本発明による固定装置の機能表現の図である。
【図３】本発明によるモバイル装置の機能表現の図である。
【発明を実施するための形態】
【００３５】
以下の段落では図面を参照して、本発明による、第１のライブコンテンツの供給をライブコンテンツを受信するためのモバイル装置から固定装置へ転送するためのシステムの実装を説明する。
【００３６】
本説明の第１の段落では、図１に示されたシステムの主要な機能部を説明する。第２の段落では、前述の要素と説明する手段との間の全ての接続を定義する。
【００３７】
その後の段落では、図２および図３にそれぞれ示された、記載のシステムの固定装置ＦＤおよびモバイル装置ＭＤの全ての関連する機能手段を説明する。
【００３８】
その次の段落では、本発明による、第１のライブコンテンツの供給をライブコンテンツを受信するためのモバイル装置から固定装置へ転送するための方法の実際の実行を説明する。
【００３９】
本発明の第１の必須要素は、データベースのような接続されたストレージに格納されるなどした複数のライブコンテンツのうちのライブコンテンツを、ライブコンテンツを受信するためのモバイル装置またはそのようなライブコンテンツを受信するための固定装置ＦＤなどの接続された装置に供給するように適合されたヘッドエンド装置などであるコンテンツプロバイダＣＰである。
【００４０】
そのようなモバイル装置ＭＤ、ＭＤ’は、たとえば、スマートフォン、タブレット、またはノートパソコンでもよい。モバイル装置は、モバイル装置が第１の位置にある、すなわち通信ネットワークＣＮ１に接続されている間はＭＤと表記され、モバイル装置が第２の位置にある、すなわち短距離通信ネットワークＳＲＮに接続されている間はＭＤと表記される。
【００４１】
固定装置ＦＤは、たとえば、分離型セットトップボックスにより実装されてもよく、または、インターネット接続されたテレビに統合されてもよい。
【００４２】
コンテンツプロバイダＣＰは、ケーブルネットワーク、デジタル加入者線ネットワーク、衛星通信ネットワーク、または移動通信ネットワークでもよい第２の通信ネットワークＣＮ２を介して固定装置ＦＤと接続される。
【００４３】
送信されたライブコンテンツは、ＤＶＢ−Ｔ信号、ＤＶＢ−Ｃ信号、ＤＶＢ−Ｓ信号、ＤＶＢ−ＩＰＴＶ信号、またはＹｏｕＴｕｂｅのようなインターネット信号により搬送されてもよい。
【００４４】
コンテンツプロバイダＣＰは、最初は、および従来技術の状況では、ＵＭＴＳのような移動データネットワークまたはＷｉ−Ｆｉのような短距離無線ネットワークなどを含む第１の通信ネットワークを介してモバイル装置ＭＤに接続される。
【００４５】
第２の例では、本発明の場合、モバイル装置ＭＤ’は、ＷＬＡＮ上のＳＳＩＤおよびＤＬＮＡ、Ｂｌｕｅｔｏｏｔｈ、無線ＬＡＮまたは他の適切な種類の接続のような無線短距離接続ＳＲＮを介して、固定装置ＦＤと接続される。
【００４６】
本発明の第１の必須要素は、固定装置ＦＤとコンテンツプロバイダＣＰとの間に、第２の通信ネットワークを介したデータ接続を設定するように適合された接続手段ＣＭ１を備える固定装置ＦＤである。さらに、固定装置ＦＤは、コンテンツプロバイダＣＰからコンテンツを受信するためのコンテンツ受信手段ＣＲＭと、短距離ネットワークＳＲＮを介してモバイル装置ＭＤを固定装置ＦＤに関連付けるための関連付け手段ＡＭとを含み、本実施形態では短距離ネットワークＳＲＮはＷｉ−Ｆｉネットワークである。固定装置ＦＤは、確立された関連付けを介してモバイル装置ＭＤ’と固定装置ＦＤとの間で、モバイル装置ＭＤにて受信された第１のコンテンツに関連付けられたライブコンテンツ情報を交換するための交換手段ＥＭをさらに備える。固定装置は、複数のライブコンテンツからライブコンテンツを選択するための選択手段ＳＭをさらに含む。
【００４７】
固定装置ＦＤは、統合または接続されたスピーカー有するまたは有さない統合または接続された画面において、受信されたライブコンテンツを描画可能なコンテンツ描画手段ＲＥＭと、前記固定装置ＦＤにおいて受信されたライブコンテンツをモバイル装置ＭＤへ中継するためのコンテンツ中継手段ＲＬＭとをさらに備える。
【００４８】
最後に固定装置は、固定装置に関連付けする段階および固定装置に関連付けている間において、固定装置とモバイル装置との間で制御情報とライブコンテンツとを交換するための短距離ネットワークを介したデータ接続である関連付けを設定するように適合された第２の接続手段ＣＭ２を含む。
【００４９】
固定装置ＦＤの制御手段ＣＭは、モバイル装置ＭＤの制御コマンドに応答して、確立された関連付けを介して、固定装置ＦＤの制御を実行するようにさらに適合される。
【００５０】
第２の必須要素は、固定装置に関連付けする段階および固定装置ＦＤに関連付けられている期間において、モバイル装置ＭＤと固定装置ＦＤとの間で制御情報とライブコンテンツとを交換するための短距離ネットワークを介したデータ接続である関連付けを設定するよう適合された接続手段ＣＭ３を、まず備えるモバイル装置ＭＤである。
【００５１】
モバイル装置は、コンテンツプロバイダＣＰから、または代わりに固定装置ＦＤに関連付けられた状態で固定装置から、ライブコンテンツを受信するためのコンテンツ受信手段ＣＲＭ２と、統合または接続されたスピーカーを有するまたは有さない統合または接続された画面において、受信したライブコンテンツを描画可能なコンテンツ描画手段ＲＥＭ’とをさらに備える。
【００５２】
モバイル装置は、モバイル装置ＭＤを固定装置ＦＤに関連付けるための関連付け手段ＡＭ’と、モバイル装置ＭＤにて受信されたライブコンテンツに関連付けられたライブコンテンツ情報を交換するための交換手段ＥＭ’をさらに備え、そのライブコンテンツは、モバイル装置がまだ固定装置ＦＤに関連付けられていない間に、コンテンツプロバイダによりモバイル装置へ直接転送されたコンテンツである。
【００５３】
さらに、モバイル装置ＭＤは、モバイル装置の全ての手段の協力と、モバイル装置の関連手段および固定装置の関連手段の間の全ての相互作用の協調とを制御するための制御手段ＣＭ’を備える。
【００５４】
図２の破線は、それぞれの制御手段ＣＭと、固定装置ＦＤの各々のさらなる機能手段との間の制御線であることに注意されたい。
【００５５】
図３の破線は、それぞれの制御手段ＣＭ’と、モバイル装置ＭＤの各々のさらなる機能手段との間の制御線であることに注意されたい。
【００５６】
本発明を説明するために、まず、固定装置ＦＤは、たとえば、インターネット接続されたテレビ、または、インターネット接続されたテレビに統合されたセットトップボックス、または、ケーブルネットワークにより実装された通信ネットワークＣＮ２を介してコンテンツプロバイダＣＰに接続された分離型セットトップボックスであると仮定する。さらに、ライブコンテンツ、すなわちＣＮＮであるチャンネル１はコンテンツプロバイダＣＰから固定装置ＦＤへストリーミングされ、そのコンテンツは固定装置ＦＤのコンテンツ受信手段ＣＲＭにより受信され、続いて描画手段ＲＥＭ、すなわちセットトップボックスに接続された画面またはテレビにより描画されると仮定する。
【００５７】
さらに、モバイル装置ＭＤは、最初に、第１の通信ネットワークＣＮ１と接続手段ＣＭ３とを介して、ライブコンテンツ、すなわちチャンネル２をモバイル装置ＭＤへストリーミングするコンテンツプロバイダＣＰに接続されると仮定する。ライブコンテンツ、すなわちＢＢＣ１であるチャンネル２はコンテンツ受信手段ＣＲＭ２により受信され、モバイル装置ＭＤの描画手段ＲＥＭ’、すなわちスマートフォンなどまたは３Ｇのインターネット接続されたタブレットなどであるモバイル装置の画面において描画される。
【００５８】
特定の瞬間において、モバイル装置ＭＤは固定装置ＦＤが接続されたＷｉ−ＦｉネットワークＳＲＮの範囲内へ移動する。また、セットトップボックスである固定装置は、ＣＮＮであるチャンネル１がケーブルネットワークＣＮ２（これを通ってチャンネル１が受信される）に接続されている。
【００５９】
モバイル装置ＭＤがＷｉ−ＦｉネットワークＳＲＮおよび接続された固定装置ＦＤを検出したとき、モバイル装置ＭＤの関連付け手段ＡＭ’は、モバイル装置ＭＤを固定装置ＦＤにリンクし、続いてＷｉ−ＦｉネットワークＳＲＮ上に無線短距離接続を確立するための要求を送信することにより、関連付けを開始してもよい。固定装置ＦＤにおいて、関連付け手段ＡＭは要求を受信し、その要求は処理され、必要なシグナリングが各固定装置およびモバイル装置ＭＤの各制御手段ＣＭ、ＣＭ’により制御されて、モバイル装置ＭＤと固定装置ＦＤとの関連付けが、関連する固定装置の接続手段ＣＭ２とモバイル装置の側の接続手段ＣＭ３とを介して確立される。接続手段ＣＭ２および接続手段ＣＭ３は共に、それぞれの制御手段ＣＭおよびＣＭ’により、短距離ネットワークＳＲＮ上に接続を確立するように命令される。接続手段ＣＭ３は、第１の通信ネットワークＣＮ１上の、接続手段ＣＭ３とコンテンツプロバイダＣＰとの間の接続を、最初にまたは同時に解放するように制御手段ＣＭ’により命令される。
【００６０】
続いて、制御手段ＣＭ’の制御下で、モバイル装置ＭＤの交換手段ＥＭ’は、モバイル装置ＭＤにて受信された第１のコンテンツ、すなわちＢＢＣ１であるチャンネル２に関連付けられたライブコンテンツ情報を、確立された関連付けを介してモバイル装置ＭＤから固定装置ＦＤへ送信し、その情報は続いて固定装置ＦＤの交換手段ＥＭにて受信される。第１のコンテンツ、すなわちチャンネル２に関連付けられた受信したライブコンテンツ情報に基づいて、選択手段ＳＭは、制御手段ＣＭ’の制御下で、チャンネル２、すなわちＢＢＣ１信号のライブコンテンツストリームを固定装置ＦＤに供給するようにコンテンツプロバイダＣＰに要求する、コンテンツプロバイダＣＰへのチャンネル選択メッセージを送信する。続いて、ライブコンテンツチャンネル２は、コンテンツプロバイダＣＰにより固定装置ＦＤへストリーミングされることになる。続いて、チャンネル１すなわちＣＮＮ信号のライブストリームの代わりの、チャンネル２すなわちＢＢＣ１信号のライブストリームである現在のライブコンテンツが、固定装置のコンテンツ受信手段ＣＲＭにて受信され、続いて描画手段ＲＥＭ、すなわちセットトップボックスに接続された画面またはテレビにより描画される。
【００６１】
したがって、第１のマルチメディアライブストリームすなわちＣＮＮ信号であるチャンネル２の供給の、マルチメディアを受信するためのモバイル装置ＭＤからライブコンテンツを受信するための固定装置ＦＤへの転送は、高速かつ効率的に行われ、ユーザー体験が改善されることになる。
【００６２】
続いて、固定装置ＦＤのコンテンツ受信手段ＣＲＭにより受信される、チャンネル２のライブストリームであるライブコンテンツは、代わりにまたは選択的に、中継するための手段ＲＬＭにより固定装置ＦＤからモバイル装置ＭＤ’へ中継され得る。
【００６３】
したがって、本発明によればさらに、第１のライブコンテンツすなわちＣＮＮ信号であるチャンネル２の供給の、マルチメディアを受信するためのモバイル装置ＭＤからライブコンテンツを受信するための固定装置ＦＤへ、続いてモバイル装置ＭＤ’へ中継される転送は、モバイル装置ＭＤにて受信されたライブコンテンツを第２の通信ネットワークＣＮ２を介してモバイル装置ＭＤへ転送するためのネットワークを介さずに、新しい状況では第１の通信ネットワークＣＮ１および固定装置を介してモバイル装置ＭＤ’へライブコンテンツを転送して、高速かつ効率的に行われる。
【００６４】
モバイル装置が短距離ネットワークＳＲＮを介して固定装置に関連付けられている場合、モバイル装置はＭＤ’と表記されることに注意されたい。
【００６５】
本発明は、モバイル装置ＭＤ’の制御手段ＣＭ’が、確立された関連付けを介して関連付けられた固定装置ＦＤを制御するという特徴をさらに備える。モバイル装置にて実行された制御アプリケーションにより起動された制御コマンドは、関連付けを介して固定装置ＦＤへ送信され、続いて固定装置ＦＤにて制御手段ＣＭにより解釈され実行され得る。
【００６６】
そのような制御コマンドの例には、リモートコントロールのよく知られた制御コマンド（チャンネル変更、音量上下．．．）があるが、加えて、現在受信中のマルチメディアライブストリームをモバイル装置へ、あるいは１つまたは複数のさらなる関連付けられたモバイル装置にさえ、中継するように固定装置に命令するコマンドがある。
【００６７】
本発明は、ライブコンテンツの中継が、中継されるライブコンテンツをモバイル装置の能力に適合させることをさらに含むという特徴をさらに付加的に含んでもよい。
【００６８】
ライブコンテンツの適合は、受信されたストリームなどの元々のライブのコンテンツのフォーマットおよび／または解像度を、モバイル装置のより小さな画面に適合されるより低い解像度のフォーマットに変換することを含んでもよく、および／または適合は、受信するためのモバイル装置により処理可能なプロトコルを適合させるために、固定装置により受信されたマルチメディアライブストリームなどのライブコンテンツについてのプロトコル変換を含んでもよい。
【００６９】
これには、規格であるＤＡＳＨ、または、Ａｐｐｌｅデバイスなど用のＨＬＳなど、異なるプロトコルの使用も含まれ得る。
【００７０】
本発明は、モバイル装置ＭＤ’が、関連付けられた固定装置ＦＤを制御するように適合され、制御には、ライブサービスプロバイダＳＰにより前記固定装置ＦＤへ供給される（ことになる）複数のマルチメディアライブストリームからのマルチメディアライブストリームの選択が含まれるという特徴をさらに備えてもよい（たとえば、チャンネル変更）。
【００７１】
加えて、固定装置ＦＤは、モバイル装置ＭＤ、ＭＤ’の制御コマンドに応答して、確立された関連付けを介して固定装置ＦＤの制御を実行するための制御手段ＣＭをさらに備える。
【００７２】
モバイル装置の代わりに、固定装置もまた、モバイル装置と固定装置との間の関連付けの確立を開始してもよいことに注意されたい。そのような関連付けの確立の開始は、存在の検出をトリガとして自動で実行されてもよく、または代わりに、関連付けを確立するためのコマンドを送信することで手動により行われても良い。
【００７３】
モバイル装置は固定装置へチャレンジし、逆もまた同様である。正しい応答を受信すると、両装置はそれらの関連付けを確立し維持することになる。
【００７４】
固定のテレビに関連付けられたモバイル装置は、チャンネルのメディアストリームの受信に関連する全ての情報、すなわち、チャンネル変更またはチャンネル選択についての情報をテレビに渡し、テレビは装置に対する中継局となる。これには、任意のライブマルチメディアストリームも含まれる。
【００７５】
最後に、本発明の実施形態は、機能ブロックに関して上で説明したことに注意されたい。上述のこれらのブロックの機能的な説明から、どのようにこれらのブロックの実施形態がよく知られている電子部品を用いて製造され得るかは、電子デバイスを設計する当業者にとって明らかであろう。したがって、機能ブロックの内容の詳細な構造は示されていない。
【００７６】
本発明の原理を特定の装置に関連して上に説明したが、この説明は単に例にすぎず、添付の特許請求の範囲に定義された本発明の範囲を制限するものではないことは明らかに理解されよう。
【図１】
2016503534.tif 000003
【図２】
2016503534.tif 000004
【図３】
2016503534.tif 000005
【国際調査報告】
2016503534.tif 000006
2016503534.tif 000007
2016503534.tif 000008